(57)【要約】【課題】    上昇及び下降を選択的に制御して操作することのできる昇降構造を提供する。【解決手段】本考案は昇降装置に係り、第１プレート１１及び第２プレート１２から成るフレーム１構造を有し、前記フレーム１構造の中に摺動手段である昇降板２を設置し、前記第１プレート１１には枢支軸３４を介して係止金具３が設置され、前記第２プレート１２には操作杆１２ａが配置され、該操作杆１２ａ介して係止金具３を昇降板２に形成された凹溝２２に選択的に合わせることで昇降板２が上，下に移動する構成とした。【選択図】  図１
0003113839.tif 000002
【実用新案登録請求の範囲】
【請求項１】
フレームが第１プレート及び第２プレートにより形成され、前記第１及び第２プレート間に限定される摺動部に昇降板が配設された構造体の昇降装置であって、
前記第２プレートには、前記昇降板の上下方向の移動を制御する係止金具を操作するための操作杆が配設されており、
前記昇降板には、垂直方向(上下方向)に貫通溝が形成されており、前記貫通溝の両側には所定の間隔寸法で、複数の凹溝が上下方向に並列に形成されおり、
第１プレートには、中空部が形成されており、該中空部には揺動自在な係止金具が枢着され、かつ該係止金具と前記第２プレート間には弾性部材が介在されており、
前記係止金具の上部及び下部には前記昇降板に対応して、それぞれ一対の突起部が形成されており、前記突起部が前記昇降板の凹溝に対して選択的に係合できる構成であって、
前記第２プレートの前記操作杆が押込み操作される以前は、前記弾性部材と前記操作杆によって、前記昇降板が前記フレームに対して下方移動しないように前記係止金具を第１設置状態に保持し、前記操作杆の押込み操作により前記係止金具を揺動させて昇降板を垂直方向へ上、下選択的に移動可能とする第２移動状態に移行するようにすると共に、同時に前記操作杆が昇降板の貫通溝に位置付けられるようにして、該操作杆が第１プレートと干渉しないようにしたことを特徴とする昇降装置。
【請求項２】
前記係止金具は、枢支軸よりも上方部に前記弾性部材の押圧力が作用し、かつ枢支軸よりも下方部において前記操作杆の押圧力が作用し、該操作杆を押し込むことで、前記弾性部材が圧縮されて、前記係止金具は枢支軸を介して揺動するようになっていることを特徴とする請求項１に記載する昇降装置。
【請求項３】
前記係止金具の第１設置状態では、前記係止金具の上部の突起部が昇降板の凹溝より離れ、下部の突起部が前記凹溝の一つに係合しており、また、前記操作杆を押圧することで、前記係止金具を弾性部材の弾力に抗して揺動させて、前記係止金具の下部の突起部が昇降板の凹溝を離れさせ、上部の突起部を凹溝の一つに係合させることで、第２設置状態とするようにしたことを特徴とする請求項２に記載する昇降装置。
【請求項４】
前記係止金具の上部及び下部の突起部の突出高寸法は、昇降板の凹溝の垂直方向高さ寸法の整数Ｎ倍より大きいか等しい寸法と、昇降板の隣接し合う凹溝の間の寸法を加えたもので、昇降板の凹溝の垂直方向高さ寸法の整数Ｍ倍より大きいか等しく、Ｍ＞Ｎであることを特徴とする請求項３に記載する昇降装置。
【請求項５】
前記係止金具の上部及び下部の突起部の突出高寸法は、昇降板凹溝の垂直方向高さ寸法の１倍より大きい寸法と、昇降板の凹溝の隣接し合う凹溝の間隔寸法を加えたもので、昇降板の凹溝の垂直方向高さ寸法の２倍より小さいことを特徴とする請求項４に記載する昇降装置。
【請求項６】
前記昇降板は、その下降中に適切な減衰をすることのできるバッファ装置を備えていることを特徴とする請求項１又は請求項５に記載する昇降装置。
【請求項７】
前記バッファ装置は、前記昇降板に設置され、バッファ凹溝とバッファブロックとから構成され、該バッファ凹溝は昇降板の表面に形成され、凹溝の開口は第１プレートに向けられており、該バッファ凹溝は傾斜する楔型凹溝を有し、前記バッファブロックはバッファ凹溝の底部に収容されており、該バッファブロックはその上部がバッファ凹溝の上部に合せて楔型に形成されていて、バッファの凹溝に設置されると、前記バッファブロックの楔型部がバッファの凹溝の対応する楔型凹溝に係合固着され、バッファブロックと第１プレートの接触面に作用する摩擦力を高めることができるようにしたことを特徴とする請求項６に記載する昇降装置。
【請求項８】
前記バッファ装置のバッファ凹溝とバッファブロックには弾性部材が設置されていて、前記弾性部材によりバッファブロックを第１位置に戻らせるようにしたことを特徴とする請求項７に記載する昇降装置。
【請求項９】
前記係止金具は、前記第１プレートの一部を貫通して中空にした箇所に連接設置され、当該中空部が係止金具の外形形状に対応する形状になることを特徴とする請求項１に記載する昇降装置。
【考案の詳細な説明】
【技術分野】
【０００１】
本考案は昇降装置に関するものであり、特に液晶モニターなどの薄型パネルの位置の高さを好みに合せて選択して調整・支持するための支持部用の昇降機構を備えた昇降装置に関するものである。
【背景技術】
【０００２】
昇降装置は、種々の昇降動作を必要とする構造の高さ調整をするのに応用されるものであり、特に、現在の液晶パネルのマーケットでは、ブラケットが液晶表示装置の支持部の据付けに使用されている。
通常、液晶表示装置はオープン・ループ・リンケージ（open loop linkage）方式の連動機構を利用して設置されるもので、このような連動機構では個々の連動バーの回転角度を調整することにより液晶表示装置の高さの調整をするようにしている。
また、液晶表示装置の方向性においては、連動機構のエンドレバー（end effecter）を回転させて液晶表示装置の回転角度の調整をすることで、その画面の方向を変えることができるようになっている。
【０００３】
しかし、このような機構では、このオープン・ループ・リンケージ機構も液晶表示装置の重さを支持しなければならないため、連動機構のそれぞれの回転箇所の運動抵抗力が必然的に大きくなり、これが角度調整をしづらくさせている。
更にまた、前述したようなオープン・ループ・リンケージ機構において高さ調整をする場合には、調節するときの水平移動距離が大き過ぎて調節しづらく、使用上不便である。
従って、本考案者は、このような従来技術の昇降装置が有する欠点を克服すべく本考案を案出した。
【考案の開示】
【考案が解決しようとする課題】
【０００４】
本考案の昇降装置は、主として、上昇及び下降を選択できる構造を提供することにあり、一対のパネルから形成されるフレーム内面側に配設される摺動部に昇降板を摺動可能に設け、一方のパネルに取り付けた係止金具の掛止め或いは開放によって前記昇降板を上，下へ選択的に移動できるように制御し、従来のオープン・ループ・リンケージ機構の欠点を回避することを目的とする。
【０００５】
本考案に係る更なる目的は、簡単な構造により液晶表示装置の高さ調整を図ることができるようにする昇降装置を提供することである。
【課題を解決するための手段】
【０００６】
本考案の請求項１に係る昇降装置は、  フレームが第１プレート及び第２プレートにより形成され、前記第１及び第２プレート間に限定される摺動部に昇降板が配設された構造体の昇降装置であって、前記第２プレートには、前記昇降板の上下方向の移動を制御する係止金具を操作するための操作杆が配設されており、前記昇降板には、垂直方向(上下方向)に貫通溝が形成されており、前記貫通溝の両側には所定の間隔寸法で、複数の凹溝が上下方向に並列に形成されおり、第１プレートには、中空部が形成されており、該中空部には揺動自在な係止金具が枢着され、かつ該係止金具と前記第２プレート間には弾性部材が介在されており、前記係止金具の上部及び下部には前記昇降板に対応して、それぞれ一対の突起部が形成されており、前記突起部が前記昇降板の凹溝に対し選択的に係合できる構成であって、前記第２プレートの前記操作杆が押込み操作される以前は、前記弾性部材と前記操作杆によって、前記昇降板が前記フレームに対して下方移動しないように前記係止金具を第１設置状態に保持し、前記操作杆の押込み操作により前記係止金具を揺動させて昇降板を垂直方向へ上、下選択的に移動可能とする第２移動状態に移行するようにすると共に、同時に前記操作杆が昇降板の貫通溝に位置付けられるようにして、該操作杆が第１プレートと干渉しないようにしたことを特徴とする。
【０００７】
請求項２の考案は、請求項１に記載する昇降装置において、前記係止金具は、枢支軸よりも上方部に前記弾性部材の押圧力が作用し、かつ枢支軸よりも下方部において前記操作杆の押圧力が作用し、該操作杆を押し込むことで、前記弾性部材が圧縮されて、前記係止金具は枢支軸を介して揺動するようになっていることを特徴とする。
【０００８】
請求項３の考案は、請求項２に記載する昇降装置において、前記係止金具の第１設置状態では、前記係止金具の上部の突起部が昇降板の凹溝より離れ、下部の突起部が前記凹溝の一つに係合しており、また、前記操作杆を押圧することで、前記係止金具を弾性部材の弾力に抗して揺動させて、前記係止金具の下部の突起部が昇降板の凹溝を離れさせ、上部の突起部を凹溝の一つに係合させることで、第２移動状態とするようにしたことを特徴とする。
【０００９】
請求項４の考案は、請求項３に記載する昇降装置において、前記係止金具の上部及び下部の突起部の突出高寸法は、昇降板の凹溝の垂直方向高さ寸法の整数Ｎ倍より大きいか等しい寸法と、昇降板の隣接し合う凹溝の間の寸法を加えたもので、昇降板の凹溝の垂直方向高さ寸法の整数Ｍ倍より大きいか等しく、Ｍ＞Ｎであることを特徴とする。
請求項５の考案は、請求項４に記載する昇降装置において、前記係止金具の上部及び下部の突起部の突出高寸法は、昇降板凹溝の垂直方向高さ寸法の１倍より大きい寸法と、昇降板の凹溝の隣接し合う凹溝の間隔寸法を加えたもので、昇降板の凹溝の垂直方向高さ寸法の２倍より小さいことを特徴とする。
【００１０】
請求項６の考案は、請求項１または５に記載する昇降装置において、前記昇降板は、その下降中に適切な減衰をすることのできるバッファ装置を備えていることを特徴とする。
請求項７の考案は、請求項６に記載する昇降装置において、前記バッファ装置は、前記昇降板に設置され、バッファ凹溝とバッファブロックとから構成され、該バッファ凹溝は昇降板の表面に形成され、凹溝の開口は第１プレートに向けられており、該バッファ凹溝は傾斜する楔型凹溝を有し、前記バッファブロックはバッファ凹溝の底部に収容されており、該バッファブロックはその上部がバッファ凹溝の上部に合せて楔型に形成されていて、バッファの凹溝に設置されると、前記バッファブロックの楔型部がバッファの凹溝の対応する楔型凹溝に係合固着され、バッファブロックと第１プレートの接触面に作用する摩擦力を高めることができるようにしたことを特徴とする。
請求項８の考案は、請求項７に記載する昇降装置において、前記バッファ装置のバッファ凹溝とバッファブロックには弾性部材が設置されていて、前記弾性部材によりバッファブロックを第１位置に戻らせるようにしたことを特徴とする。
請求項９の考案は、請求項１に記載する昇降装置において、前記係止金具は、前記第１プレートの一部を貫通して中空にした箇所に連接設置され、当該中空部が係止金具の外形形状に対応する形状になることを特徴とする。
【考案の効果】
【００１１】
本考案の昇降装置は、簡単な構造により液晶表示装置の高さ調整を図ることができるようにした昇降装置であって、主として、上昇及び下降を選択移動できる構造を提供することにあり、一対のパネルから形成されるフレーム内面側に限定される摺動部に昇降板を摺動可能に配設し、一方のパネルに取り付けた係止金具を、昇降板の凹溝に対して掛止め或いは開放することによって、前記昇降板を上，下方向へ選択的に所定の範囲だけ移動できるように昇降制御し、従来のオープン・ループ・リンケージ機構において隘路とされた高さ調整時の移動距離が大き過ぎて調節しづらく、使用上不便である欠点を回避することが出来るようにした。
【考案を実施するための最良の形態】
【００１２】
以下、本考案の目的、特徴、及び効果を明瞭に理解してもらうように、図面と共に本考案の好適な実施形態を詳細に説明する。
【実施例１】
【００１３】
図１は本考案に係る昇降装置の一つの具体的な第１実施例を示す分解斜視図、図２は本考案に係る昇降装置における係止金具が第１設置状態にある一部側断面図、図３は本考案に係る昇降装置の係止金具が第２移動状態にある一部側断面図、図４は本考案に係る昇降装置が下降した後、係止金具が第１設置状態に戻っている状態を示す一部側断面図である。
【００１４】
図１を参照して説明する。本考案の昇降装置は、主として、一対のプレートを組み合わせてなるフレーム１と、昇降板２、及び係止金具３とからなる。
前記フレーム１は第１プレート１１及び第２プレート１２により限定される摺動部１３を有する構造体である。第１プレート１１には、係止金具３を配置するための中空部１１ａが形成されており、第２プレート１２の略中央に形成された扁平状の楕円孔１２ｂには扁平状の操作杆１２ａが第２プレート１２に直交方向に貫通して配設されていて、第２プレート１２の外方より押し込まれることで、先端部が前記係止金具３と係合し、前記係止金具３の枢支軸３４を中心に揺動動作するようになっている。これにより、第２プレート１２は摺動の動きが制限される。
前記摺動部１３は、平行に配設される第１プレート１１及び第２プレート１２の対向表面間に形成されるもので、その対応する間隙内に昇降板２を摺動可能に収容している。
【００１５】
前記昇降板２はプレート状のものであり、上，下方向の垂直に摺動可能に前記フレーム１の摺動部１３中に配設されている。
前記昇降板２には、その中央部で上下の垂直方向に形成された貫通溝２１と、貫通溝２１に対して水平方向で直交する複数個の凹溝２２が上下方向に所定の間隔で並列に複数形成されている。
【００１６】
前記係止金具３は、左右側部中央部にそれぞれ突出する枢支軸３４が設けられており、この枢支軸３４が第１プレート１１の中空部１１ａの左右側壁に形成した凹部１１ｂに係合されて揺動自在となっていると共に、係止金具３の上部及び下部には前記昇降板２に対応して、延びるそれぞれ一対の突起部が形成されており、上部の突起部３１の外表面は斜めの傾斜面が形成され、下部の突起部３２の外表面にも斜めに傾斜面が形成されており、各突起部３１，３２は前記昇降板２の凹溝２２に選択的に係合することができるようになっている。
【００１７】
また、第２プレート１２及び係止金具３の間には夫々に端部が固定されたコイルスプリングなどからなる弾性部材３３が配置されていて、弾性部材３３の弾性の付勢により係止金具３が第１設置状態(図２参照)に支持される。
そして、前記第２プレート１２の貫通孔に進退可能な操作杆１２ａを押圧操作することにより、係止金具３が第２移動状態(図３参照)に位置付けられると、係止金具３の下部の突起部３２と昇降板２の凹溝２２との係合が解除されて昇降板２を摺動部１３内を上、下の垂直方向に移動可能となる。
前記水平状態の操作杆１２ａは、昇降板２の貫通溝２１に位置しているので、昇降板２が垂直に昇降する際に、操作杆１２ａが第１プレート１１と干渉し合うことはない。
【００１８】
係止金具３は、枢支軸３４により中空部１１ａに設置される。弾性部材３３の一端が係止金具３の突起部３１に結合されている。弾性部材３３がバランス位置の状態にある場合は、係止金具３は第１設置状態となり、上部の突起部３１が昇降板２の凹溝２２を離れ、下部の突起部３２が昇降板２の凹溝２２に係合されている。
操作杆１２ａを押すと、弾性部材３３が圧縮力を受けて逆方向への弾力が生じ、係止金具３は第２移動状態となり、下部の突起部３２が昇降板２の凹溝２２との係合を離れ、上部の突起部３１が昇降板２の凹溝２２に係合される。
【００１９】
係止金具３の上部の突起部３１と下部の突起部３２の高さ寸法の位置関係は、１つの凹溝２２の垂直寸法である整数Ｎ倍より大きいか等しい寸法に、２つの凹溝２２の間の寸法とを加えたもので、凹溝２２の垂直寸法の整数Ｍ倍より小さいか等しくなければならず、ここでの寸法関係は、Ｍ＞Ｎである。
【００２０】
つまり、図２を参照して更に具体的に説明すると、係止金具３上部の突起部３１と下部の突起部３２位置の高さ寸法の差は、両者間に挟まれた１つの凹溝２２の垂直寸法の１倍より大きく、この寸法に各々の凹溝２２と凹溝２２の間の寸法を加えたもので、昇降板２の凹溝２２の中心距離寸法の２倍以下の距離寸法である。
係止金具３が第１設置状態にある場合には、その下部の突起部３２が凹溝２２のうちの第１凹溝２２ａの上縁部に当接している。凹溝２２の第１凹溝２２ａの次には、間に凸部を挟んで、第２凹溝２２ｂ、そして第３凹溝２２ｃというように順に限定されており、係止金具３の上部の突起部３１が第３凹溝２２ｃの下縁部の位置に在る。
【００２１】
図３を参照して説明する。第２プレート１２の操作杆１２ａを押すと、係止金具３は第２移動状態となる。係止金具３の下部の突起部３２が第１凹溝２２ａから外れて、係止金具３の上部の突起部３１が第３凹溝２２ｃに係合すると、昇降板２がフレーム１の摺動部１３に沿って下降して、第３凹溝２２ｃの上縁が係止金具３の上部の突起部３１まで下がって位置する。
【００２２】
図４を参照する。図４が示す状態は、第２プレート１２の操作杆１２ａを押して、係止金具３が第１設置状態に戻り、係止金具３の上部の突起部３１が第３凹溝２２ｃから外れて、係止金具３の下部の突起部３２が第２凹溝２２ｂに係合すると、昇降板２が、当該フレーム１の摺動部１３に沿って第２凹溝２２ｂの上縁が当該係止金具３の下部の突起部３２に当てるまで、継続に下降する。
このように、係止金具３が第１設置状態から第２移動状態へ移動され、再び第１設置状態に戻された後では、昇降板２が当該フレーム１の摺動部１３に沿って、凹溝２２の１個分の垂直距離寸法の一倍分の距離寸法を下降するので、第２プレート１２の操作杆１２ａを押すたびに、昇降板２は凹溝２２の１個分の垂直距離寸法を下降することができるようになる。
【実施例２】
【００２３】
図５は本考案に係る昇降装置の第２実施例を示す分解斜視図、図６は第５図のバッファ装置が第１設置状態にあるのを示す一部側断面図、図７は第５図のバッファ装置が第２移動状態にあるのを示す一部側断面図である。
【００２４】
図５〜図７に示す昇降装置は本考案の第２実施例を示すもので、この第２実施例では、前述した第１実施例にバッファ装置２３が追加配設されている点が異なっているのみで、他の構成は前述の第１実施例と同様なので、以下相違点を重点に説明する。
【００２５】
前記バッファ装置２３は、昇降装置が下降過程中に、昇降板２に適当なバッファ力（減衰力）を提供するものであり、昇降板２の下降速度を低下させることで、安定的に下降させる機能を有する。
【００２６】
バッファ装置２３について、更に具体に説明する。バッファ装置２３は、昇降板２の表面に形成されたバッファ凹溝２３１と、このバッファ凹溝２３１に嵌合されたバッファブロック２３２とから構成される。開口２３１は第１プレート１１に向けられており、バッファ凹溝２３１は傾斜する楔型凹溝２３１ａを有する。バッファ凹溝２３１の底部にバッファブロック２３２が収納されて、バッファの凹溝２３１に垂直に設置される。バッファブロック２３２の上部には、バッファの凹溝２３１の上部に合せて楔型部２３２ａに形成してあるので、バッファブロック２３２の楔型部２３２ａがバッファの凹溝２３１の楔型凹溝２３１ａに係合されて固着されると、バッファブロック２３２と第１プレート１１の表面が接触してその間の摩擦力を高め、下降速度を安定的に低下できるようになる。
【００２７】
そして、バッファ凹溝２３１とバッファブロック２３２に弾性部材２３３が配置されているので、この弾性部材２３３によりバッファブロック２３２に弾性回復力がもたらされ、この状態で、バッファブロック２３２が第１位置にもどる。
【００２８】
本考案の第２実施例に動作について、図６を参照して説明する。
昇降板２とフレーム１の摺動部１３それぞれが静止状態の場合は、昇降板２におけるバッファ装置２３のバッファ凹溝２３１とバッファブロック２３２が第１位置にある。この場合、バッファの凹溝２３１の楔型凹溝２３１ａとバッファブロック２３２のバッファブロック２３２ａとの間の接触力が小さくなるので、バッファブロック２３２と第１プレート１１の間の正面接触力が小さくなり、バッファブロック２３２と第１プレート１１の間の摩擦力が小さくなる。こうした状態で、昇降板２は当該フレーム１の摺動部１３を上昇できるようになる。
【００２９】
また、図７を参照すると、昇降板２がフレーム１の摺動部１３を下降すると、バッファブロック２３２が第１プレート１１との摩擦を受け、弾性部材２３３に抗してバッファ凹溝２３１の楔型凹溝２３１ａに沿って上へ移動する。バッファ装置２３のバッファ凹溝２３１とバッファブロック２３２とが第２位置へ移動するにつれ、バッファ凹溝２３１の楔型凹溝２３１ａとバッファブロック２３２のバッファブロック２３２ａとの間の接触力が次第に増加され、バッファブロック２３２と第１プレート１１の間の正面接触力が大きくなるため、バッファブロック２３２と第１プレート１１の間の摩擦力が大きくなり、昇降板２の加速度を減衰するようになるので、バッファ効果を達成できる。
【実施例３】
【００３０】
図８は本考案に係る昇降装置の第３実施例を示す断面図であり、前述の第１実施例の昇降装置に、結合台４と支持座５とを設けて、液晶表示装置６に組み込ませたものである。
結合台４は昇降板２の上部に配置されており、その上端はフック４１構造に形成されている。支持座５はフレーム１の底部に形成された支持構造であり、昇降装置と液晶表示装置６をバランスよく支持する。
液晶表示装置６はヒンジにより結合台４に設置されている。液晶表示装置６が結合台４に連接されている構造により、結合台のフック部を把持して操作し、表示装置の方向を変えることができるようになるとともに、フレーム１の昇降機構を介して、表示装置の高さを変えることができるようになる。
【００３１】
本考案の具体的な実施例を説明したが、本考案はこれらの実施例に限定されることなく、この分野を熟知する者が行なう種々の変更・修正は本考案の精神と請求項を逸脱せしない限り本考案の範囲に属するもので、本考案は添付の実用新案登録請求の範囲によって限定されるものである。
【図面の簡単な説明】
【００３２】
【図１】図１は本考案に係る昇降装置の一つの具体的な第１実施例を示す分解斜視図、
【図２】図２は本考案に係る昇降装置における係止金具が第１設置状態にある一部側断面図、
【図３】図３は本考案に係る昇降装置の係止金具が第２移動状態にある一部側断面図、
【図４】図４は本考案に係る昇降装置が下降した後、係止金具が第１設置状態に戻っている状態を示す一部側断面図である。
【図５】本考案に係る昇降装置の第２実施例を示す分解斜視図、
【図６】本考案に係る第５図のバッファ装置が第１設置状態にある一部側断面図。
【図７】本考案に係る第５図のバッファ装置が第２設置状態にある一部側断面図。
【図８】本考案に係る昇降装置の第３実施例を示す側面図。
【符号の説明】
【００３３】
１１        第１プレート
１１ａ      中空部
１２        第２プレート
１２ａ      操作杆
１３        摺動部
２          昇降板
２１        貫通溝
２２        凹溝
２２ａ      第１凹溝
２２ｂ      第２凹溝
２２ｃ      第３凹溝
２３        バッファ装置
２３１      バッファ凹溝
２３１ａ    楔型凹溝
２３２      バッファブロック２
２３２ａ    バッファブロック
２３３      弾性部材
３          係止金具
３１        上部の突起部
３２        下部の突起部
３３        弾性部材（スプリング）
３４        枢支軸
４          結合台
４１        フック
５          支持座
６          液晶表示装置
【図１】
0003113839.tif 000003
【図２】
0003113839.tif 000004
【図３】
0003113839.tif 000005
【図４】
0003113839.tif 000006
【図５】
0003113839.tif 000007
【図６】
0003113839.tif 000008
【図７】
0003113839.tif 000009
【図８】
0003113839.tif 000010